(57)【要約】【課題】画像データの検索処理の効率化を図る。【解決手段】被写体の画像データ及びこの画像データに付帯された付帯情報から構成される医用画像情報を保存するデータベース（例えば、画像ＤＢ３０及び基本情報ＤＢ２７）を備える医用画像情報管理システム１００である。保存される医用画像情報から付帯情報を抽出するための抽出条件を抽出条件テーブルから取得して設定する抽出条件設定手段（例えば、制御部２１）を備える。基本情報ＤＢ２７に付帯情報が保存される際に、保存される付帯情報が設定された抽出条件に該当するか否かを判断する判断手段（例えば、制御部２１）を備える。抽出条件に該当すると判断された付帯情報を抽出付帯情報として記憶する抽出情報テーブル２８１を備える。抽出情報テーブル２８１に記憶された抽出付帯情報に基づいて、画像ＤＢ３０内から所望の画像データを検索可能に構成されている。【選択図】図１
2005149108.tif 000002
【特許請求の範囲】
【請求項１】
被写体を撮影することで生成された画像データ及びこの画像データに付帯された付帯情報から構成される医用画像情報を保存するデータベースを備える医用画像情報管理システムであって、
前記データベースに保存される医用画像情報から付帯情報を抽出するための抽出条件を設定する抽出条件設定手段と、
前記データベースに前記医用画像情報が保存される際に、保存される前記医用画像情報の前記付帯情報が前記抽出条件設定手段により設定された前記抽出条件に該当するか否かを判断する判断手段と、
前記判断手段により前記抽出条件に該当すると判断された付帯情報を抽出付帯情報として記憶する抽出付帯情報記憶部と、を備え、
前記抽出付帯情報記憶部に記憶された抽出付帯情報に基づいて、前記データベース内から所望の画像データを検索可能に構成されていることを特徴とする医用画像情報管理システム。
【請求項２】
前記抽出条件は、前記画像データのユーザに対応して規定されていることを特徴とする請求項１に記載の医用画像情報管理システム。
【請求項３】
前記医用画像情報は、当該医用画像情報の前記画像データのユーザに関連付けられ、
前記抽出条件設定手段は、保存される前記医用画像情報に基づいて、当該医用画像情報に関連付けられたユーザに応じて前記抽出条件を設定することを特徴とする請求項２に記載の医用画像情報管理システム。
【請求項４】
前記抽出条件設定手段は、
ユーザに対応付けて設定された前記抽出条件を複数記憶する抽出条件記憶手段と、
保存される前記医用画像情報に基づいて、当該医用画像情報に関連付けられたユーザに対応する前記抽出条件を前記抽出条件記憶手段から取得して設定する抽出条件取得手段と、を備えることを特徴とする請求項３に記載の医用画像情報管理システム。
【請求項５】
前記抽出付帯情報記憶部は、前記抽出条件に対応して複数設けられていることを特徴とする請求項２〜４の何れか一項に記載の医用画像情報管理システム。
【請求項６】
前記抽出条件は、前記抽出付帯情報記憶部に記憶される前記抽出付帯情報の項目が規定された記憶項目情報と、前記抽出付帯情報をユーザに対応づけて振り分けるための振分条件が規定された振分条件情報とを含み、
前記判断手段は、保存される前記医用画像情報の前記付帯情報が前記記憶項目情報に規定された前記抽出付帯情報の項目に該当するか否かを判断し、前記抽出付帯情報の項目に該当すると判断された付帯情報を前記振分条件情報に基づいて振り分け可能か否かを判断することを特徴とする請求項２〜５の何れか一項に記載の医用画像情報管理システム。
【請求項７】
前記抽出条件は、前記画像データのユーザの属するグループに対応して規定されていることを特徴とする請求項１〜６の何れか一項に記載の医用画像情報管理システム。
【請求項８】
被写体を撮影することで生成された画像データ及びこの画像データに付帯された付帯情報から構成される医用画像情報を管理する医用画像情報管理方法であって、
前記医用画像情報をデータベースに保存する工程と、
前記データベースに保存される医用画像情報から付帯情報を抽出するための抽出条件を設定する工程と、
前記データベースに前記医用画像情報が保存される際に、保存される前記医用画像情報の前記付帯情報が、設定された前記抽出条件に該当するか否かを判断する工程と、
前記抽出条件に該当すると判断された付帯情報を抽出付帯情報として抽出付帯情報記憶部に記憶する工程と、
前記抽出付帯情報記憶部に記憶された抽出付帯情報に基づいて、前記データベース内から所望の画像データを検索する工程と、を備えることを特徴とする医用画像情報管理方法。
【発明の詳細な説明】
【技術分野】
【０００１】
本発明は、被写体を撮影することで生成された医用画像の画像データ及びこの画像データに付帯される付帯情報を管理するための医用画像情報管理システム及び医用画像情報管理方法に関する。
【背景技術】
【０００２】
医療の分野では、患者を撮影した医用画像のデジタル化が実現されており、ＣＲ（Computed Radiography）装置やＣＴ（Computed Tomography）装置、ＭＲＩ（Magnetic Resonance Imaging）装置等の各種モダリティにより撮影され、デジタル化された医用画像の画像データや、この医用画像に係る各種の付帯情報をＤＩＣＯＭ規格に従ってサーバにより一元的に管理する医用画像情報管理システムが利用されている。
【０００３】
ところで、上記の付帯情報は、画像データと対応付けられてデータベースに保存されている。そして、医師等は、診断や研究に必要な画像データを参照したい場合には、例えば所属科に設置されている端末装置からサーバにアクセスして情報要求を行い、サーバの管理下にてデータベースに保存されている各種の付帯情報に基づいて必要な画像データ等を検索して取得するようになっている。
【０００４】
また、画像検索の際に、付帯情報の要求に応じて、この付帯情報を検索情報として検査リストから所定の情報を取得することで補助リストを作成するものが知られている（例えば、特許文献１参照。）。
【特許文献１】特開平２−１１９８４０号公報
【発明の開示】
【発明が解決しようとする課題】
【０００５】
ところで、上記の付帯情報としては、例えば、撮影された患者の氏名、患者ＩＤ等の患者情報や、検査日時、検査ＩＤ、検査を依頼した医師名等の検査情報、モダリティの名称、操作者名、検査部位等の撮影に関するシリーズ情報、医用画像の生成日時、ビット情報等が挙げられる。そして、これら各種の付帯情報は、画像データとともに日々増加し、データベースには膨大な量の付帯情報が保存された状態となる。
このため、医師等による付帯情報に基づく画像データの検索は、長時間を要して、作業効率が悪化することとなる。即ち、データベースに保存されている付帯情報の中には、検索を実行する特定の医師には関連しない付帯情報もあるため、画像データの検索処理を効率良く迅速に行うことが困難となる。
また、上記特許文献１等のように、情報検索の要求に応じて所定のリストを作成するような構成とすると、そのリストの作成の分だけ検索処理に時間がかかり、処理の効率化を図ることができない。
【０００６】
本発明の課題は、画像データの検索処理の効率化を図ることができる医用画像情報管理システム及び医用画像情報管理方法を提供することである。
【課題を解決するための手段】
【０００７】
請求項１に記載の発明は、被写体を撮影することで生成された画像データ及びこの画像データに付帯された付帯情報から構成される医用画像情報を保存するデータベースを備える医用画像情報管理システムであって、
前記データベースに保存される医用画像情報から付帯情報を抽出するための抽出条件を設定する抽出条件設定手段と、
前記データベースに前記医用画像情報が保存される際に、保存される前記医用画像情報の前記付帯情報が前記抽出条件設定手段により設定された前記抽出条件に該当するか否かを判断する判断手段と、
前記判断手段により前記抽出条件に該当すると判断された付帯情報を抽出付帯情報として記憶する抽出付帯情報記憶部と、を備え、
前記抽出付帯情報記憶部に記憶された抽出付帯情報に基づいて、前記データベース内から所望の画像データを検索可能に構成されていることを特徴とする。
【０００８】
請求項２に記載の発明は、請求項１に記載の医用画像情報管理システムにおいて、
前記抽出条件は、前記画像データのユーザに対応して規定されていることを特徴とする。
【０００９】
請求項３に記載の発明は、請求項２に記載の医用画像情報管理システムにおいて、
前記医用画像情報は、当該医用画像情報の前記画像データのユーザに関連付けられ、
前記抽出条件設定手段は、保存される前記医用画像情報に基づいて、当該医用画像情報に関連付けられたユーザに応じて前記抽出条件を設定することを特徴とする。
【００１０】
請求項４に記載の発明は、請求項３に記載の医用画像情報管理システムにおいて、
前記抽出条件設定手段は、
ユーザに対応付けて設定された前記抽出条件を複数記憶する抽出条件記憶手段と、
保存される前記医用画像情報に基づいて、当該医用画像情報に関連付けられたユーザに対応する前記抽出条件を前記抽出条件記憶手段から取得して設定する抽出条件取得手段と、を備えることを特徴とする。
【００１１】
請求項５に記載の発明は、請求項２〜４の何れか一項に記載の医用画像情報管理システムにおいて、
前記抽出付帯情報記憶部は、前記抽出条件に対応して複数設けられていることを特徴とする。
【００１２】
請求項６に記載の発明は、請求項２〜５の何れか一項に記載の医用画像情報管理システムにおいて、
前記抽出条件は、前記抽出付帯情報記憶部に記憶される前記抽出付帯情報の項目が規定された記憶項目情報と、前記抽出付帯情報をユーザに対応づけて振り分けるための振分条件が規定された振分条件情報とを含み、
前記判断手段は、保存される前記医用画像情報の前記付帯情報が前記記憶項目情報に規定された前記抽出付帯情報の項目に該当するか否かを判断し、前記抽出付帯情報の項目に該当すると判断された付帯情報を前記振分条件情報に基づいて振り分け可能か否かを判断することを特徴とする。
【００１３】
請求項７に記載の発明は、請求項１〜６の何れか一項に記載の医用画像情報管理システムにおいて、
前記抽出条件は、前記画像データのユーザの属するグループに対応して規定されていることを特徴とする。
【００１４】
請求項８に記載の発明は、被写体を撮影することで生成された画像データ及びこの画像データに付帯された付帯情報から構成される医用画像情報を管理する医用画像情報管理方法であって、
前記医用画像情報をデータベースに保存する工程と、
前記データベースに保存される医用画像情報から付帯情報を抽出するための抽出条件を設定する工程と、
前記データベースに前記医用画像情報が保存される際に、保存される前記医用画像情報の前記付帯情報が、設定された前記抽出条件に該当するか否かを判断する工程と、
前記抽出条件に該当すると判断された付帯情報を抽出付帯情報として抽出付帯情報記憶部に記憶する工程と、
前記抽出付帯情報記憶部に記憶された抽出付帯情報に基づいて、前記データベース内から所望の画像データを検索する工程と、を備えることを特徴とする。
【発明の効果】
【００１５】
請求項１に記載の発明によれば、データベースに保存される医用画像情報の付帯情報が、所定の抽出条件に該当するか否かを判断して、その抽出条件に該当すると判断された付帯情報を抽出付帯情報として抽出付帯情報記憶部に事前に記憶しておくので、画像データをデータベースに記憶された全ての付帯情報に基づいて検索する場合に比べて、所望の画像データの検索を迅速に行うことができる。従って、画像データの検索処理の効率化を図ることができる。
【００１６】
請求項２に記載の発明によれば、抽出条件が画像データのユーザに対応して規定されているので、ユーザに関連する付帯情報を抽出付帯情報記憶部に記憶しておくことができる。これにより、特定のユーザによる画像データの検索の際に、当該ユーザに対し必要な付帯情報を効率良く迅速に提供することができる。
【００１７】
請求項３に記載の発明によれば、データベースに保存される医用画像情報に基づいて、当該医用画像情報に関連付けられたユーザに応じて抽出条件を設定することができるので、ユーザ毎に付帯情報の抽出を適正に行うことができる。
【００１８】
請求項４に記載の発明によれば、抽出条件記憶手段にユーザに対応付けて設定された抽出条件を複数記憶して、データベースに保存される医用画像情報に基づいて、当該医用画像情報に関連付けられたユーザに対応する抽出条件を抽出条件記憶手段から取得して設定するので、ユーザに応じて抽出条件の設定を適正に行うことができる。
【００１９】
請求項５に記載の発明によれば、抽出付帯情報記憶部は、抽出条件に対応して複数設けられているので、ユーザが画像データの検索の際に必要とする付帯情報を当該ユーザ毎に設けられた抽出付帯情報記憶部に記憶しておくことができ、画像データの検索処理の効率をより向上させることができる。
【００２０】
請求項６に記載の発明によれば、データベースに保存される医用画像情報の付帯情報が記憶項目情報に規定された抽出付帯情報の項目に該当するか否かを判断し、抽出付帯情報の項目に該当すると判断された付帯情報を振分条件情報に基づいて振り分け可能か否かを判断するので、付帯情報が抽出条件に該当するか否かの判断をより適正に行うことができる。
【００２１】
請求項７に記載の発明によれば、抽出条件がユーザの属するグループに対応して規定されているので、グループに関連する付帯情報を抽出付帯情報記憶部に記憶しておくことができる。従って、グループ単位で付帯情報を共有化して、特定のグループに属するユーザによる画像データの検索の際に、当該ユーザに対し必要な付帯情報を効率良く迅速に提供することができる。
【００２２】
請求項８に記載の発明によれば、データベースに保存される医用画像情報の付帯情報が、所定の抽出条件に該当するか否かを判断して、その抽出条件に該当すると判断された付帯情報を抽出付帯情報として抽出付帯情報記憶部に事前に記憶しておくので、画像データをデータベースに記憶された全ての付帯情報に基づいて検索する場合に比べて、所望の画像データの検索を迅速に行うことができる。従って、画像データの検索処理の効率化を図ることができる。
【発明を実施するための最良の形態】
【００２３】
以下、図を参照して本発明の実施の形態を詳細に説明する。
本実施の形態では、医用画像の画像データに付帯された患者情報、検査情報、シリーズ情報、画像情報等の付帯情報が入力されると、画像データのユーザに対応する抽出条件を設定し、設定した抽出条件に基づいて、基本情報ＤＢ（DataBase）に記憶される複数の付帯情報の中からユーザに関連する付帯情報を抽出し、抽出した付帯情報を抽出用ＤＢに記憶する例を説明する。
【００２４】
まず、構成を説明する。
図１に、本実施の形態における医用画像情報管理システム１００のシステム構成を示す。
【００２５】
図１に示すように、医用画像情報管理システム１００は、モダリティ１０、サーバ２０、画像ＤＢ（DataBase）３０、読影端末４０、フィルム出力装置５０、診療端末６０から構成され、各装置はＤＩＣＯＭ（Digital Imaging and Communication in Medicine）規格に従って構築された通信ネットワークＮを介して相互にデータの送受信が可能に接続されている。
なお、図１では２台のモダリティ１０、フィルム出力装置５０、１台のサーバ２０、画像ＤＢ３０、読影端末４０、診療端末６０が接続されることとしたが、その設置台数は特に限定しない。
【００２６】
また、医用画像情報管理システム１００は、通信ネットワークＮを介してＲＩＳ（Radiology Information System）２００に接続されている。
ＲＩＳ２００は、放射線科内の情報を管理する情報管理システムであり、医師からの依頼を受け付けて撮影対象の患者の患者ＩＤ、氏名、性別等の患者に関する患者情報や、検査の検査ＩＤ、その検査で指定された撮影部位、撮影方法等の検査に関する検査情報等を含む撮影オーダ情報を生成し、当該生成された撮影オーダ情報に、その撮影オーダ情報の識別情報を付して管理するものである。ＲＩＳ２００は、生成された撮影オーダ情報を医用画像情報管理システム１００の各モダリティ１０に送信する。
【００２７】
なお、本実施形態では、医用画像としてＸ線医用画像を撮影する例を説明し、情報管理システムとしてＲＩＳを適用した例を説明するが、情報管理システムとしては、撮影オーダ情報の発行受付を行う受付端末や、病院内の情報を管理するＨＩＳ（Hospital Information System）等も適用可能である。
【００２８】
以下、医用画像情報管理システム１００の各構成装置について説明する。
モダリティ１０は、患者を撮影したＸ線医用画像の画像データを生成するものであり、例えばＣＲ装置Ｘ線フィルムに記録されたＸ線画像を読み取るフィルムデジタイザ、或いは放射線画像が記録されたカセッテからそのＸ線画像を読み取る読取装置等が適用可能である。
なお、ここではＸ線医用画像を撮影するモダリティ例を挙げたが、その他の医用画像を撮影する際には、ＭＲＩ装置、ＣＴ装置、超音波画像の撮影装置等の他のモダリティが適用される。
【００２９】
モダリティ１０は、ＲＩＳ２００で生成された撮影オーダ情報に従って、患者を撮影しその医用画像の画像データを生成する。そして、医用画像を特定するための患者情報、検査情報、シリーズ情報、画像情報等の付帯情報を当該医用画像の画像データに付帯させてサーバ２０に送信する。
【００３０】
サーバ２０は、モダリティ１０から送信された医用画像の画像データを画像ＤＢ３０に保存させる。また、サーバ２０は、大容量の記憶手段を備え、当該記憶手段に、予めＲＩＳ２００から取得された患者情報及び検査情報を基本情報としてデータベース化して書換可能に記憶するとともに、新たに入力された付帯情報に含まれるシリーズ情報及び画像情報を医用画像に関する基本情報としてデータベース化して記憶する。
【００３１】
図２に、サーバ２０の内部構成を示す。
図２に示すように、サーバ２０は、制御部２１、入力部２２、表示部２３、通信部２４、ＲＡＭ（Random Access Memory）２５、記憶部２６、基本情報ＤＢ２７、抽出用ＤＢ２８から構成される。
【００３２】
制御部２１は、ＣＰＵ（Central Processing Unit）等から構成され、記憶部２６に格納される所定のプログラムをＲＡＭ２５に展開し、当該プログラムとの協働により処理動作を統括的に制御する。
【００３３】
即ち、抽出条件設定処理において、制御部２１は、モダリティ１０やＲＩＳ２００から送信された付帯情報が通信部２４を介して入力されることに基づいて、抽出条件設定プログラムに従って、入力された付帯情報に関連するユーザに対応付けられた抽出条件を設定する。具体的には、制御部２１は、抽出条件取得手段として、ユーザに対応する抽出条件を記憶部（抽出条件記憶手段）２６の抽出条件テーブル２６１から取得する。
ここで、制御部２１と抽出条件設定プログラムとの協働により、抽出条件設定手段を実現することができる。
【００３４】
また、判断処理において、制御部２１は、判断プログラムに従って、基本情報ＤＢ２７に付帯情報が保存される際に、付帯情報が設定した抽出条件に該当するか否か、例えば付帯情報がユーザに関連付けられたものであるか否かを判断する。具体的には、制御部２１は、記憶部２６から患者リスト表示項目定義ファイルを読み出して、この患者リスト表示項目定義ファイルに含まれる記憶項目情報に付帯情報が規定されているか否かを判断する。続けて、制御部２１は、記憶部２６から振分ルール定義ファイルを読み出して、この振分ルール定義ファイルに含まれる振分条件情報に基づいて、記憶項目情報に該当すると判断された付帯情報を振り分け可能か否かを判断する。
上記のように、制御部２１と判断プログラムとの協働により、判断手段を実現することができる。
【００３５】
さらに、制御部２１は、所定の記憶制御プログラムに従って、抽出条件に該当すると判断された付帯情報を抽出付帯情報として抽出用ＤＢ２８の抽出情報テーブル２８１に記憶させる。
【００３６】
また、制御部２１は、所定の検索プログラムに従って、診療端末６０から入力された検索指示情報に従って、抽出用ＤＢ２８に記憶された付帯情報に基づいて画像ＤＢ３０からの画像データの検索を行う。
【００３７】
入力部２２は、数字キー、文字キー、機能キー等を有するキーボードや、マウス等を備えて構成され、操作されたキーに対応する操作信号を制御部２１に出力する。
【００３８】
表示部２３は、ＬＣＤ（Liquid Crystal Display）等から構成される表示手段である。
【００３９】
通信部２４は、ネットワークインターフェイスカードやモデム等の通信用のインターフェイスを備えて構成され、通信ネットワークＮ上のモダリティ１０、診療端末６０等の外部機器と相互に情報の送受信を行う。
また、通信部２４は、ユーザに関連付けられた新規の付帯情報及び画像データをモダリティ１０やＲＩＳ２００から受信する。
【００４０】
ＲＡＭ２５は、制御部２１によって実行される各種プログラム及びこれらプログラムに係るデータを一時的に記憶するワークエリアを形成する。
【００４１】
記憶部２６は、システムプログラムの他、抽出条件設定プログラム、判断プログラム、記憶制御プログラム及び各プログラムで処理されたデータ等を記憶する。
【００４２】
また、記憶部２６は、抽出条件記憶手段を構成しており、基本情報ＤＢ２７に記憶される通信部２４にて受信した付帯情報から抽出用ＤＢ２８に記憶される付帯情報（抽出付帯情報）の抽出条件を格納する抽出条件テーブル２６１を記憶する。
抽出条件テーブル２６１は、抽出用ＤＢ２８に記憶される付帯情報の項目が規定された記憶項目情報を含む患者リスト表示項目定義ファイル及び付帯情報をユーザに対応づけて振り分けるための振分条件が規定された振分条件情報を含む振分ルール定義ファイルを含んで構成される。
なお、ユーザとしては、例えば、医用画像の読影医師や、検査の承認医師等が挙げられ、ユーザに対応する抽出条件として、読影医師用のものと承認医師用のものとが挙げられる。具体的には、抽出条件として、患者情報の抽出条件（例えば、"外科に所属の患者"等）、検査情報の抽出条件（例えば、"ＣＲの検査のみ"、"胸部検査のみ"等）、画像情報の抽出条件（例えば、"ＣＲの撮影画像は最大５枚まで"等）、抽出範囲（例えば、"直近３ヶ月分"等）等が挙げられる。
【００４３】
基本情報ＤＢ２７は、大容量メモリから構成され、内部に患者情報、検査情報、シリーズ情報及び画像情報等の基本となる付帯情報を格納するための患者情報テーブル２７１、検査情報テーブル２７２、シリーズ情報テーブル２７３、画像情報テーブル２７４をそれぞれ関連付けて備えている。
【００４４】
患者情報テーブル２７１には、図３（ａ）に示すように、患者情報を個別に識別し、患者情報と他の基本情報とを関係付けるために割り当てられた識別情報（これを患者情報ＬＩＤという。）に対応付けて、患者の名前（ＡＳＣＩＩ、カナ、漢字）、患者ＩＤ、患者の生年月日、性別等の患者に関する各種項目情報が格納される。
【００４５】
検査情報テーブル２７２には、図３（ｂ）に示すように、検査情報を個別に識別し、検査情報と他の基本情報とを関係付けるために割り当てられた識別情報（これを検査情報ＬＩＤという。）に対応付けて、画像管理のために発行された検査インスタンスＵＩＤ、その検査情報に対応する患者情報ＬＩＤが格納されるとともに、検査日付、検査ＩＤ、検査読影医師名等の検査に関する各種項目情報が格納される。
【００４６】
シリーズ情報テーブル２７３には、図３（ｃ）に示すように、シリーズ情報を個別に識別し、シリーズ情報と他の基本情報とを関係付けるために割り当てられた識別情報（これをシリーズ情報ＬＩＤという。）に対応付けて、画像管理のために発行されたシリーズインスタンスＵＩＤ、そのシリーズ情報に対応する検査情報ＬＩＤが格納されるとともに、モダリティ１０の種類を示す名称、そのモダリティ１０のシリーズ番号、モダリティ１０を操作した操作者の名前、そのモダリティ１０で読取可能な最小画素値、最大画素値、検査部位等のモダリティ１０や撮影に関する各種項目情報が格納される。
【００４７】
画像情報テーブル２７４には、図３（ｄ）に示すように、画像情報を個別に識別し、画像情報と他の基本情報とを関係付けるために割り当てられた識別情報（これを画像情報ＬＩＤという。）に対応付けて、画像管理のために発行された検査インスタンスＵＩＤ、シリーズインスタンスＵＩＤ及び医用画像のファイル保存場所を示すアドレスを組み合わせて構成されるＳＯＰインスタンスＵＩＤと、その画像情報に対応する患者情報ＬＩＤ、検査情報ＬＩＤ、シリーズ情報ＬＩＤとが格納されるとともに、画像が生成された際に付された画像番号、画像が生成された画像時刻、割り当てビット等のビット情報、原画像、ＤＩＣＯＭ圧縮画像、ＪＰＥＧ圧縮画像、サムネイル画像の各画像へのファイルパス名、圧縮率等の画像管理や画像生成に関する各種項目情報が格納される。
【００４８】
抽出用ＤＢ２８は、抽出付帯情報記憶部を構成しており、基本情報ＤＢ２７に記憶される付帯情報から抽出された付帯情報を格納するための抽出情報テーブル２８１を備えている。
抽出情報テーブル２８１は、図４に示すように、所定の抽出条件に従って、患者情報テーブル２７１、検査情報テーブル２７２、シリーズ情報テーブル２７３及び画像情報テーブル２７４から取得された患者情報、検査情報、シリーズ情報及び画像情報等の付帯情報に加えて、振り分けられたユーザに関連する振り分け先読影ユーザＩＤ、振り分け先承認ユーザＩＤ、振り分け先読影グループＩＤ及び振り分け先読影グループＩＤ等を記憶するようになっている。
【００４９】
なお、上記の患者情報テーブル２７１、検査情報テーブル２７２、シリーズ情報テーブル２７３、画像情報テーブル２７４の各々には、格納される付帯情報の更新情報が記憶される。
【００５０】
画像ＤＢ３０は、モダリティ１０により生成された医用画像の画像データを格納するＮＡＳ（Network Attached Strage）であり、モダリティ１０で生成された原画像、原画像に基づいてサーバ２０で生成されたＤＩＣＯＭ圧縮画像、ＪＰＥＧ圧縮画像、サムネイル画像をそれぞれのフォルダに格納する。
【００５１】
読影端末４０は、読影医が医用画像を読影するための表示装置であり、ＬＣＤ（Liquid Crystal Display）等の表示手段を備えて、サーバ２０により配信された医用画像の画像データを表示する。
【００５２】
フィルム出力装置５０は、サーバ２０により配信された医用画像の画像データをフィルムに出力する。
【００５３】
診療端末６０は、各診療科に設置されており、例えば図示は省略するが、キーボードやマウス等を備えて構成され、画像データの検索条件を含む検索指示情報を入力するための操作入力部と、この操作入力部を介して入力された検索指示情報をサーバ２０に送信するとともに、サーバ２０から送信され、当該サーバ２０にて取得された検索条件に該当する画像データや付帯情報を受信する通信部と、通信部を介して受信された画像データ等を表示するためのＬＣＤ等の表示手段とを備えている。
【００５４】
次に、図５及び図６を参照して、医用画像を保存する際にサーバ２０で実行される付帯情報振分処理について説明する。ここで、図５は、制御部２１による付帯情報振分処理を概念的に示した図であり、図６は、図５の付帯情報振分処理に係る動作の一例を示すフローチャートである。
なお、説明の前提として、モダリティ１０にて、ＲＩＳ２００から送信され受信した撮影オーダ情報に従って対象患者の撮影が行われたこととする。
【００５５】
図５及び図６に示すように、モダリティ１０において撮影が行われることで生成された医用画像の画像データに付帯されて患者の患者情報、検査情報、シリーズ情報、画像情報等の新たな付帯情報が通信ネットワークＮを介して送信されサーバ２０の通信部２４にて受信されると（ステップＳ１）、制御部２１は、受信キュー監視タスクにおいて、キューファイルを読み出して、このキューファイルに含まれる正常データの照合用ＩＤ情報と、受信した付帯情報に含まれる各種ＩＤ情報とを照合して、基本情報ＤＢ２７の登録内容との整合性を判別する（ステップＳ２；図５における矢印Ａ）。例えば、制御部２１は、ＳＯＰインスタンスＵＩＤが重複していないか、検査インスタンスＵＩＤが同一で患者ＩＤが不一致か否か、患者ＩＤが同一で患者氏名（ＡＳＣＩＩ、カナ、漢字）、生年月日、性別等が不一致か否かを判別して、不一致の項目が検出されなかった付帯情報を基本情報ＤＢ２７の患者情報テーブル２７１、検査情報テーブル２７２、シリーズ情報テーブル２７３、画像情報テーブル２７４等に格納して、ＤＢ登録を行う（ステップＳ３；図５における矢印Ｂ）。
【００５６】
次に、制御部２１は、記憶部２６から抽出条件設定プログラムを読み出してＲＡＭ２５に展開し、この抽出条件設定プログラムに従って、記憶部２６から患者リスト表示項目定義ファイルを読み出して、抽出情報テーブル２８１に格納される付帯情報の項目に係る記憶項目情報（患者リスト表示項目）を取得する（ステップＳ４；図５における矢印Ｃ）。そして、制御部２１は、記憶部２６から振分ルール定義ファイルを読み出して（ステップＳ５；図５における矢印Ｄ）、受信した付帯情報に関連するユーザに対応する振分条件、即ち、抽出情報テーブル２８１に振り分けられる付帯情報の振分条件、振り分けられる付帯情報に対応するユーザやグループ情報等を抽出条件テーブル２６１から取得する（ステップＳ６）。そして、制御部２１は、所定のプログラムに従って、振分条件がwhere句に付加されたselect文を生成する（ステップＳ７）。
【００５７】
次に、制御部２１は、所定のプログラムに従って、記憶部２６から取得された記憶項目情報に対応し、且つ、過去３ヶ月以内に作成された付帯情報を基本情報ＤＢ２７の患者情報テーブル２７１、検査情報テーブル２７２、シリーズ情報テーブル２７３、画像情報テーブル２７４等から取得する（ステップＳ８；図５における矢印Ｅ）。
【００５８】
次に、制御部２１は、記憶部２６から判断プログラムを読み出してＲＡＭ２５に展開し、この判断プログラムに従って、患者リスト表示項目定義ファイルに含まれる記憶項目情報（患者リスト表示項目）に付帯情報が規定されているか否かを判断して、記憶項目情報に該当すると判断された付帯情報を取得して、取得した付帯情報を抽出用ＤＢ２８に送信して抽出情報テーブル２８１に登録する（ステップＳ９；図５における矢印Ｆ）。
このとき、制御部２１は、抽出情報テーブル２８１のカラムのうち、「振り分け先読影ユーザＩＤ」、「振り分け先承認ユーザＩＤ」、「振り分け先読影グループＩＤ」、「振り分け先承認グループＩＤ」の各カラムに“null”を格納する。即ち、これらカラムに“null”が格納されている場合、ユーザ及びグループに対する振り分けが行われていない情報であると判断され、抽出情報テーブル２８１内の付帯情報を全ユーザへの共通情報とすることができる。
なお、抽出情報テーブル２８１のカラムのうち、記憶項目情報に含まれない項目については、“null”が格納されるようになっている。
ここで、抽出情報テーブル２８１に登録される付帯情報の最大数は、例えば、医療施設毎に設定される「一度に表示される付帯情報件数」＋１件となっている。
【００５９】
次に、制御部２１は、振分条件に応じて生成されたselect文を抽出用ＤＢ２８の抽出情報テーブル２８１に対して順次送信して（ステップＳ１０；図５における矢印Ｇ）、select条件に該当した付帯情報に対して振り分け先ユーザＩＤ及びグループＩＤの割り当てを行う（ステップＳ１１）。これにより、制御部２１にて、記憶項目情報に該当すると判断された付帯情報を抽出情報テーブル２８１に振り分け可能か否かが判断される。
全てのselect条件に対する割り当て処理が完了すると、制御部２１は、割り当て結果を抽出情報テーブル２８１における新規患者情報レコードに反映した後（ステップＳ１２；図５における矢印Ｈ）、その「振り分け先読影ユーザＩＤ」、「振り分け先承認ユーザＩＤ」、「振り分け先読影グループＩＤ」、「振り分け先承認グループＩＤ」に、割り当てられたユーザＩＤ及びグループＩＤを格納して、本処理を終了する。
【００６０】
そして、診療端末６０から送信された検索指示情報を通信部２４にて受信すると、制御部２１は、所定の検索プログラムに従って、抽出情報テーブル２８１に記憶されている付帯情報に基づいて、検索指示情報に含まれる検索条件に該当する画像データを画像ＤＢ３０から検索して取得する。
【００６１】
以上のように、本実施の形態によれば、画像ＤＢ３０に保存される画像データに付帯される付帯情報が、ユーザに対応して規定された抽出条件に該当するか否かを判断して、その抽出条件に該当すると判断された付帯情報を抽出用ＤＢ２８の抽出情報テーブル２８１に事前に記憶する。ここで、制御部２１は、基本情報ＤＢ２７に格納される基本情報に関連付けられたユーザに対応する抽出条件を記憶部２６の抽出条件テーブル２６１から取得して設定するので、ユーザに応じてユーザ毎に抽出条件の設定を適正に行うことができる。また、制御部２１は、基本情報ＤＢ２７に記憶される複数の付帯情報の中から、抽出用ＤＢ２８に記憶される付帯情報の項目が規定された記憶項目情報に該当する付帯情報を判断し、抽出付帯情報の項目に該当すると判断された付帯情報を振分条件情報に基づいて振り分け可能か否かを判断するので、付帯情報が抽出条件に該当するか否かの判断をより適正に行うことができる。
従って、付帯情報の抽出用ＤＢ２８の抽出情報テーブル２８１に対する格納をユーザに応じて適正に行うことができ、これにより、診療端末６０から画像データの検索指示が入力された際に、基本情報ＤＢ２７に記憶された全ての付帯情報に基づいて画像データを検索する場合に比べて、所望の画像データの検索を迅速に行うことができる。従って、画像データの検索処理の効率化を図ることができる。
【００６２】
また、基本情報ＤＢ２７に記憶されている複数の付帯情報の中から、過去３ヶ月以内に作成されたユーザに関連する付帯情報を抽出して、抽出用ＤＢ２８の抽出情報テーブル２８１に格納するので、特定のユーザにとって特に利用頻度の高い付帯情報を効率良く迅速に提供することができることとなって、画像データの検索処理の効率化を図ることができる。
【００６３】
＜変形例＞
以下に、サーバの変形例について、図７を参照して説明する。
図７に示すように、サーバ１２０の抽出用ＤＢ１２８には、抽出条件テーブル２６１の抽出条件に対応付けられるようにして抽出情報テーブル（抽出付帯情報記憶部）が二つ（複数）設けられている。具体的には、抽出情報テーブルＡ及びＢは、例えば、読影医師や承認医師等のユーザ毎に設けられており、これにより、各抽出情報テーブルにそれぞれ対応するユーザが画像データの検索の際に必要とする付帯情報を記憶しておくことができる。なお、各抽出情報テーブルに対しての付帯情報の振り分けは、例えば、予め抽出情報テーブルに対してユーザＩＤを対応付けておき、それに基づいて行われるようになっている。
従って、これら抽出情報テーブルＡ及びＢを利用することによって、画像データの検索処理の効率をより向上させることができる。
なお、抽出情報テーブルは、例えば、ユーザの属するグループ（詳細後述）に対応付けて設けられても良い。また、抽出情報テーブルの数は、二つに限られるものではない。
【００６４】
なお、本実施の形態における記述内容は、本発明を適用した医用画像情報管理システム１００の好適な一例であり、これに限定されるものではない。
【００６５】
上述した説明では、ユーザに対応して抽出条件を設定したが、これに限られるものではなく、例えば、外科、内科等のユーザが所属する診療科毎にユーザをグループ分類し、当該グループに応じて抽出条件を設定しても良い。この場合、グループに応じた抽出条件にあっては、例えば、患者情報や検査情報等の全グループで共通の抽出条件と、グループ毎或いはユーザ毎の抽出条件とが設定されるようにしても良い。さらに、ユーザは複数グループに所属することとしてもよく、その場合、所属するグループ毎に抽出条件を設定することとしても良い。
また、グループ分類は、医師が所属する診療科に限られるものではなく、医療活動の運用形態に応じて適宜グループ分類しても良い。例えば、医師が診療対象とする部位毎にグループ分類することとしても良く、この場合も同様に、同一ユーザが複数グループに所属することが可能であり、グループ毎に抽出条件を設定することができる。
このように、個人に必要な付帯情報だけではなく個人が属するグループ単位で必要な情報を共有化することができ、当該グループが必要とする付帯情報を効率良く迅速に提供することができる。
【００６６】
さらに、上述した説明では、基本情報ＤＢ２７から抽出される付帯情報は過去３ヶ月以内に作成されたものとしたが、これに限られるものではなく、付帯情報が抽出される期間は適宜任意に変更可能となっている。即ち、例えば、ユーザである医師に応じて抽出期間を変更するような構成としても良く、これにより、読影医師、承認医師、診察医師等に応じてより適正な抽出情報テーブル２８１を提供することができる。
【００６７】
さらに、上述した説明では、付帯情報として、患者情報、検査情報、シリーズ情報、画像情報を例示したが、これに限られるものではなく、例えば、読影医師が検査に対する所見や診断結果等をまとめたレポートのテキストデータファイル等のレポート情報、救急患者情報、医療施設の施設情報、読影医情報等の運用管理情報、救急患者に対して割り当てられている患者ＩＤ等の救急患者情報、施設名称、施設内に設置された診療科の名称等の施設情報、施設に所属する読影医師に関する情報や医師毎にカスタマイズ設定した設定情報等の読影医情報、医療警告情報並びに病理情報等であっても良い。
【００６８】
また、上述した説明では、記憶部２６に抽出条件テーブル２６１を記憶しておき、この抽出条件テーブルに基づいて制御部２１（１２１）が付帯情報の抽出条件を設定するような構成としたが、これに限られるものではなく、例えば、制御部２１が、抽出条件設定手段として、所定のプログラムを実行することに基づいて、抽出条件を算出して設定するような構成としても良い。
【００６９】
さらに、上述した説明では、医用画像情報を保存するデータベースとして、画像ＤＢ３０及び基本情報ＤＢ２７を例示して、画像データ及び基本情報（付帯情報）を別個のＤＢに記憶するような構成としたが、これに限られるものではなく、同じＤＢに記憶するような構成であっても良い。
【００７０】
その他、本実施の形態における医用画像情報管理システム１００の細部構成及び細部動作に関しても、本発明の趣旨を逸脱することのない範囲で適宜変更可能である。
【図面の簡単な説明】
【００７１】
【図１】本実施の形態における医用画像情報管理システム１００のシステム構成を示す図である。
【図２】サーバ２０の内部構成を示す図である。
【図３】（ａ）患者情報テーブル２７１のデータ構成例を示す図である。（ｂ）検査情報テーブル２７２のデータ構成例を示す図である。（ｃ）シリーズ情報テーブル２７３のデータ構成例を示す図である。（ｄ）画像情報テーブル２７４のデータ構成例を示す図である。
【図４】抽出情報テーブル２８１のデータ構成例を示す図である。
【図５】制御部２１による付帯情報振分処理を概念的に示した図である。
【図６】図５の付帯情報振分処理に係る動作の一例を示すフローチャートである。
【図７】変形例のサーバの内部構成を示す図である。
【符号の説明】
【００７２】
１００    医用画像情報管理システム
１０    モダリティ
２０、１２０    サーバ
２１、１２１    制御部
２２    入力部
２３    表示部
２４    通信部
２５    ＲＡＭ
２６    記憶部
２６１    抽出条件テーブル
２７    基本情報ＤＢ
２７１    患者情報テーブル
２７２    検査情報テーブル
２７３    シリーズ情報テーブル
２７４    画像情報テーブル
２８、１２８    抽出用ＤＢ
２８１    抽出情報テーブル
３０    画像ＤＢ
４０    読影端末
５０    フィルム出力装置
６０    診療端末
２００    ＲＩＳ
【図１】
2005149108.tif 000003
【図２】
2005149108.tif 000004
【図３】
2005149108.tif 000005
【図４】
2005149108.tif 000006
【図５】
2005149108.tif 000007
【図６】
2005149108.tif 000008
【図７】
2005149108.tif 000009